(57)【要約】【課題】  本発明は、見栄えがよく、充電が容易に行える看板を提供することにある。【解決手段】  表示部２と、バッテリーボックス１と、蓋５とを備え、蓋５は、バッテリーボックス１の開口１２を塞ぐものであり、バッテリーボックス１は、トレイ９と、バッテリー８と、バッテリー受け１０とからなっており、トレイ９は、取手１８を有するとともに、バッテリーボックス１の開口からスライド自在に出し入れでき、バッテリー受け１０は、接続端子３１を有しており、バッテリー８は、接続端子３１と接続する被接続端子１４を有するとともに、トレイ９に係脱自在に取り付けてあることを特徴とする。【選択図】      図１（ａ）（ｂ）
2015055830.tif 000002
【特許請求の範囲】
【請求項１】
表示部と、バッテリーボックスと、蓋とを備え、蓋は、バッテリーボックスの開口を塞ぐものであり、バッテリーボックスは、トレイと、バッテリーと、バッテリー受けとからなっており、トレイは、取手を有するとともに、バッテリーボックスの開口からスライド自在に出し入れでき、バッテリー受けは、接続端子を有しており、バッテリーは、接続端子と接続する被接続端子を有するとともに、トレイに係脱自在に取り付けてあることを特徴とする看板。
【発明の詳細な説明】
【技術分野】
【０００１】
本発明は、表示部を発光する看板に関するものである。
【背景技術】
【０００２】
登録実用新案第３０３４５８１号公報のように、表示部の内部に照明を有し、さらに、バッテリーを内蔵した看板があった。
【先行技術文献】
【特許文献】
【０００３】
【特許文献１】登録実用新案第３０３４５８１号公報
【発明の概要】
【発明が解決しようとする課題】
【０００４】
上記のものでは、バッテリーが看板の内部に取り出し不能な状態で固定されていることから、充電するときには、看板から延長するコードを使用するものであった。これにより、充電の際には看板ごと電源まで移動させなければならず、大変不都合であった。また、充電時に電源までコードを延ばしたときには看板の見栄えが悪くなり、さらに、コードが通行の妨げになる問題点があった。
本発明は、上記課題を鑑みてなされたものであり、見栄えがよく、充電が容易に行える看板を提供することにある。
【課題を解決するための手段】
【０００５】
本発明は、表示部と、バッテリーボックスと、蓋とを備え、蓋は、バッテリーボックスの開口を塞ぐものであり、バッテリーボックスは、トレイと、バッテリーと、バッテリー受けとからなっており、トレイは、取手を有するとともに、バッテリーボックスの開口からスライド自在に出し入れできるものであり、バッテリー受けは、接続端子を有しており、バッテリーは、接続端子と接続する被接続端子を有するとともに、トレイに係脱自在に取り付けてあることを特徴とする。
【発明の効果】
【０００６】
本発明によれば、看板のバッテリーボックスの開口からスライド自在に出し入れできるトレイを設け、そのトレイにバッテリーを係脱自在に取り付けている。これにより、バッテリーの残量が減ったときに、蓋を開けてバッテリーボックスの開口からトレイを引き出し、バッテリーをトレイから外すことによりバッテリーが簡単に取り出せることから、充電作業が容易に行える。さらに、バッテリーを看板から取り外して充電できることにより、看板外部にコード等が露出せずに見栄えが良好となり、また、コードがないことで通行を妨げることもない。
【図面の簡単な説明】
【０００７】
【図１（ａ）（ｂ）】本発明の看板の（ａ）は、一部を切欠して全体を示す正面図であり、（ｂ）は、（ａ）のＡ−Ａ線横断面図である。
【図２（ａ）（ｂ）】バッテリーボックスからのバッテリーの出し入れの状態を示す斜視図であり、（ａ）は、バッテリーが収納された状態であり、（ｂ）は、トレイ９を引き出した状態である。
【図３（ａ）（ｂ）（ｃ）（ｄ）】（ａ）（ｂ）は、バッテリーをトレイに取り付ける状態を示す斜視図であり、（ｃ）は、（ｂ）中Ｂを拡大してトレイの後ろ側の係合部と被係合部の係合状態を示す斜視図であり、（ｄ）は、（ｂ）中Ｃを拡大してトレイの前側の係合部と被係合部の係合状態を示す斜視図である。
【図４（ａ）（ｂ）】（ａ）（ｂ）は、バッテリーをトレイに取り付ける前の状態を示す斜視図である。
【図５（ａ）（ｂ）（ｃ）】（ａ）（ｂ）（ｃ）は、トレイにバッテリーを固定する手順を示す側面図である。
【図６（ａ）（ｂ）（ｃ）】（ａ）（ｂ）は、固定操作部が開錠状態のままトレイをバッテリーボックスに入れた状態を示す縦断面図であり、（ｃ）は、（ｂ）中Ｄを拡大してロック部材の周辺を拡大した縦断面図である。
【図７（ａ）（ｂ）】（ａ）（ｂ）は、トレイの出し入れをするときのストッパーの状態を示す縦断面図である。
【発明を実施するための形態】
【０００８】
以下に、図面に基づいて本発明による看板の実施形態について説明する。
本実施による看板は、図１（ａ）（ｂ）のように、表示部２と、バッテリーボックス１とから構成してある。また、表示部２とバッテリーボックス１は、枠体３の内周側に取り付けてあり、枠体３の内周において表示部２を上側に配置し、バッテリーボックス１を表示部２の下側に配置している。尚、方向については、トレイ９の取手１８のある側を前とし、他方側を後とするものである。
【０００９】
枠体３は、上枠３ａと下枠３ｂと両側枠３ｃ，３ｄからなっており、表示部２とバッテリーボックス１の四周を略縦長の矩形状に囲んでいる。また、下枠３ｂの底部にはキャスター１１が取り付けてあり、本看板の移動を容易にしてある。さらに、枠体３のいずれかの側枠３ｄには、バッテリーボックス１の開口１２を塞ぐ開閉自在な蓋５を有している。また、蓋５は、下方に開くように取り付けてあり、開口１２からトレイ９を引き出したときに邪魔にならないようにしてある。尚、符号４０は、表示部２の点灯または消灯を切り替えるスイッチである。
【００１０】
表示部２は、枠体３の正面側と背面側に取り付けてあり、文字や図柄等の表示物が印刷されている。また、表示部２は、枠体３内に有する照明部７と反射板６で発光する。反射板６は、金属板を略凹状に彎曲したものであり、凹面が光の反射面となる。また、反射板６は、枠体３の正面側と背面側のそれぞれに取り付けてあり、凹面を表示部２に向けた状態で取り付けてある。照明部７は、複数のＬＥＤからなっている。また、照明部７は、反射板６の略中央位置に上下に間隔をあけて配置してある。このことから各ＬＥＤが発光すると、反射板６に光が反射して拡散するので、本看板を見たときには表示部２の略全面が発光した状態となる。
【００１１】
バッテリーボックス１は、表示部２の下側に位置しており、図２（ａ）（ｂ）のように、バッテリー８と、トレイ９と、バッテリー受け１０とからなっている。また、バッテリーボックス１は、横長に形成されており、内部にトレイ９を前後方向にスライド自在に収容する収容空間１３を有している。さらに、バッテリーボックス１には収容空間１３と連通する開口１２が設けてあり、開口１２からトレイ９を出し入れする。さらに、開口１２は、上記の枠体３の一方の側枠３ｄに有する蓋５で開放と閉塞することができる。
【００１２】
バッテリー８は、横長の略直方体形状をなしており、図３（ａ）のように、底部には、後述するトレイ９の係合部１５ａ，１５ｂと係合する被係合部１６，２６が前後に間隔をあけて設けてある。バッテリー８の前側に設けてある被係合部１６は図３（ｃ）のように、係合部１５ａを受け入れる差込穴１６ａと、差込穴１６ａに連続して設けてある溝１６ｂとからなっており、溝１６ｂは、係合部１５ａとの係合時にバッテリー８が抜け落ちないように略Ｔ字状をなしている。また、バッテリー８の後側に設けてある被係合部２６は図３（ｄ）のように、バッテリー８の後側に開放する切欠２６ａと、切欠２６ａと連続して設けてあるとともに略Ｔ字状をなす溝２６ｂとからなっている。さらに、バッテリー８の後側端部には図４（ａ）のように、被接続端子１４が設けてある。
【００１３】
バッテリー受け１０は、図４（ｂ）のように、バッテリーボックス１の収容空間１３の後側に配置してあり、開口１２に向く側に接続端子３１を有している。また、バッテリー受け１０は、バッテリー８を固定したトレイ９をスライドしてバッテリーボックス１の収容空間１３に収容したときに、接続端子３１がバッテリー８の被接続端子１４に接続される。
【００１４】
トレイ９は、載置板１７と取手１８とからなっている。載置板１７は、バッテリー８を載置するものであり、正面側と背面側には側壁１７ａを有している。取手１８は、載置板１７の側壁１７ａの前側に設けてあり、トレイ９をバッテリーボックス１の収容空間１３から引き出したときに開口１２から突出する。また、載置板１７の上面には、トレイ９の前後方向に間隔をあけた２カ所に係合部１５ａ，１５ｂが設けてある。係合部１５ａ，１５ｂは、起立片と、起立片の上端に配置される水平片とから略Ｔ字状をなすものであり、バッテリー８の底部に設けてある前側の被係合部１６と後側の被係合部２６に係合する。さらに、前後の係合部１５ａ，１５ｂに対してそれぞれに対応する被係合部１６，２６を係合するときには、まず、図３（ａ）（ｂ）（ｃ）のように、トレイ９の前側の係合部１５ａをバッテリー８の前側の被係合部１６の差込穴１６ａに入れるとともに、差込穴１６ａと連続する溝１６ｂにスライドすることにより、係合部１５ａの水平片が溝１６ｂに引っ掛かる。これと同時に、トレイ９の後側の係合部１５ｂは、図３（ａ）（ｂ）（ｄ）のように、バッテリー８の後側の被係合部２６の切欠２６ａに対して略水平方向に差し込まれるとともに、切欠２６ａに連続する溝１６ｂにスライドすることにより、係合部１５ｂの水平片が溝２６ｂに引っ掛かる。これにより、バッテリー８は、トレイ９に対して上下方向に離脱不能に係合される。また、載置板１７の前側端部の略中央には固定操作部１９が設けてある。固定操作部１９は、バッテリー８をトレイ９に対して前後方向の固定又は固定状態の解除を適宜切り替えるものであり、ロック部材２０と軸部２１とからなっている。軸部２１は、ロック部材２０をトレイ９の前後方向のいずれかに回動自在に軸支するものである。ロック部材２０は、ロック解除の状態にあるときを挙げて説明すると図６（ｃ）のように、軸部２１よりもトレイ９の前側に位置しており、正面視したときに略７の字状をなしている。また、軸部２１には付勢部材２２が取り付けてあり、付勢部材２２は、ロック部材２０が軸部２１よりもトレイ９の前側に位置するように付勢しており、バッテリー８を固定していないときにはロック解除の状態となっている。また、ロック部材２０は、ロック解除の状態にあるときにトレイ９の載置板１７の底部から下方に突出する。これにより、ロック部材２０が解除された状態のままトレイ９をバッテリーボックス１の収容空間１３に入れたときは、図６（ｂ）（ｃ）のように、ロック部材２０が枠体３の側枠３ｄの外周部に当たり、トレイ９を押し込んでもそれ以上は収容空間１３に入らなくなることで、取手１８がバッテリーボックス１の開口１２から飛び出して蓋５を閉めることができなくなる。このことから、バッテリー８がトレイ９にしっかりと固定されていないことが識別できる。さらに、上記の状態からロック状態とするときは、ロック部材２０を付勢部材２２の付勢力に逆らってトレイ９の後側に回動する。このときに、ロック部材２０がバッテリー８に当接するのでバッテリー８をトレイ９に対して前後方向に固定できる（図５（ｃ）参照）。このように、バッテリー８をトレイ９に対して前後方向に固定できることにより、看板の移動や搬送に伴う振動や衝撃に対してもバッテリー８の前後方向の動きが規制されるので、バッテリー受け１０の接続端子３１とバッテリー８の被接続端子１４の接続状態も維持される。
【００１５】
上記のように形成したトレイ９にバッテリー８を係合し、さらに、バッテリー８をトレイ９に固定するときの固定操作部１９の操作の手順を以下に説明する。
図５（ａ）のように、トレイ９の載置板１７に置き、次に、図５（ｂ）のように、バッテリー８をトレイ９の後側にスライドしてバッテリー８の前側の被係合部１６を係合部１５ａに、後側の被係合部２６を係合部１５ｂに係合することによりバッテリー８とトレイ９を係合し、トレイ９に対してバッテリー８の上下方向の抜け出しを規制する。図５（ｃ）のように、固定操作部１９のロック部材２０を付勢部材２２の付勢力に逆らってトレイ９の後側に回動させることで、ロック部材２０がバッテリー８に当接する。これにより、ロック部材２０でバッテリー８の前後方向を固定するとともに、係合部１５ａ，１５ｂと被係合部１６，２６の係合によりバッテリー８の上下方向の抜け出しを規制することにより、バッテリー８がトレイ９から前後方向及び上下方向に抜け出さなくなり、バッテリー８をトレイ９に対して離脱不能に固定できる。また、バッテリー８をトレイ９から取り外すときは、図６（ａ）のように、バッテリー８を固定した状態からロック部材２０をトレイ９の前側に回動すると、ロック部材２０がバッテリー８から離れる。さらに、バッテリー８をトレイ９の前側に移動することにより、係合部１５ａ，１５ｂは、被係合部１６，２６の溝１６ｂ，２６ｂから抜け出して係合状態が解除されるので、トレイ９からバッテリー８を取り外すことができる。
【００１６】
バッテリーボックス１の内周壁部には、ガイド部３２が設けてある。ガイド部３２は、バッテリーボックス１の収容空間１３にトレイ９を入れたときに、トレイ９に対して上側に僅かに隙間をあけた位置に位置する。これにより、トレイ９を引き出したときに、バッテリー８の重みでトレイ９の前側が落ち、その反動でトレイ９の後側がバッテリーボックス１の収容空間１３で浮き上がろうとしたときに、トレイ９がガイド部３２に当接することで、トレイ９のそれ以上の浮き上がりが規制される。したがって、トレイ９のバッテリーボックス１の収容空間１３に対する出し入れが安定且つ円滑に行えるようになる。さらに、トレイ９の載置板１７の側壁１７ａの後端に規制部３５が設けてある。これにより、バッテリーボックス１の収容空間１３からトレイ９を引き出したときに、規制部３５がバッテリーボックス１のガイド部３２に当接し、トレイ９のそれ以上の引き出しができなくなる。そこで、トレイ９をバッテリーボックス１の収容空間１３から取り出すときは、トレイ９を引き出した状態で取手１８を持ち上げれば、規制部３５とガイド部３２との係止状態が解除されるので、そのままトレイ９を引き出せばバッテリーボックス１から取り外すことができる（図６（ａ）参照）。さらに、図７（ａ）（ｂ）のように、バッテリーボックス１の底部にはストッパー３６が設けてある。ストッパー３６は、トレイ９をバッテリーボックス１の収容空間１３に入れたときに、トレイ９の載置板１７の後端が当接し、それ以上のトレイ９の押し込みを防ぐものである。これにより、トレイ９の押し込み時の衝撃がバッテリー受け１０に伝わらないので、バッテリー受け１０と接続端子３１、及びバッテリー８の被接続端子１４が保護される。また、トレイ９をストッパー３６に当接するまで押し込むことにより、確実に接続端子３１と被接続端子１４が接続される。
【００１７】
上記のように構成した本実施による看板は、バッテリー８の充電が必要になったときに、トレイ９をバッテリーボックス１から引き出す。さらに、固定操作部１９のロック部材２０をトレイ９の前側に回動し、バッテリー８を前側にスライド移動させることにより、バッテリー８とトレイ９の係合状態を解除することでバッテリー８を取り外すことができる。さらに、充電済みのバッテリー８をトレイ９に載置し、バッテリー８を後側に移動させてトレイ９と係合し、ロック部材２０をトレイ９の後側に回動してバッテリー８をトレイ９に固定する。そして、トレイ９をバッテリーボックス１の収容空間１３に押し込むことでバッテリー８の被接続端子１４とバッテリー受け１０の接続端子３１が接続する。これにより、看板の枠体３に設けてあるスイッチ４０をＯＮにすることで、バッテリー８が通電して表示部２が点灯する。尚、トレイ９をバッテリーボックス１から完全に取り出してからバッテリー８を交換することもでき、バッテリー８の交換がより簡単に行える。また、トレイ９は、バッテリーボックス１に対する差し込みが浅いとバッテリーボックス１の開口１２から取手１８が飛び出すので、蓋５を閉めることができない。これにより、バッテリー８の被接続端子１４とバッテリー受け１０の接続端子３１の接続が不十分な状態であることを外部に注意喚起できる。
【００１８】
本発明の看板は、上記の実施形態では、バッテリー８の被係合部１６，２６とトレイ９の係合部１５ａ，１５ｂをスライドして係合するものについて説明したが、バッテリー８をトレイ９に押し込むだけで係合するものでもよい。また、被係合部１６，２６と係合部１５ａ，１５ｂの数もバッテリー８の大きさによって変更することができる。さらに、固定操作部１９のロック部材２０についてもバッテリー８をトレイ９に対して前後方向に固定できる構造であればよく、上記実施形態ではロック部材２０のトレイ９の後側への回動によりバッテリー８を固定するものについて示したが、ロック部材２０をトレイ９の後側にスライドするものでもよい。また、上記実施形態では正面側と背面側の両面に表示部２を有するものが記載してあるが、正面側と背面側のいずれか一面側にのみ表示部２を有するものでもよい。さらに、バッテリーボックス１の位置は、表示部２の上側に配置してあってもよいし、側部に配置してあってもよい。また、トレイ９のストッパー３６は、上記実施形態では載置板１７の後端と当接するものが記載してあるが、バッテリーボックス１の側部内周面に設けることで、トレイ９の側壁１７ａや規制部３５に当接してそれ以上のトレイ９の入り込みを規制するものでもよい。
【符号の説明】
【００１９】
１  バッテリーボックス
２  表示部
５  蓋
８  バッテリー
９  トレイ
１０  バッテリー受け
１４  被接続端子
１５ａ，１５ｂ  係合部
１６，２６  被係合部
１８  取手
３１  接続端子      
【図１（ａ）（ｂ）】
2015055830.tif 000003
【図２（ａ）（ｂ）】
2015055830.tif 000004
【図３（ａ）（ｂ）（ｃ）（ｄ）】
2015055830.tif 000005
【図４（ａ）（ｂ）】
2015055830.tif 000006
【図５（ａ）（ｂ）（ｃ）】
2015055830.tif 000007
【図６（ａ）（ｂ）（ｃ）】
2015055830.tif 000008
【図７（ａ）（ｂ）】
2015055830.tif 000009